(57)【特許請求の範囲】
【請求項１】
経糸１と緯糸２とから織成した織物地３から形成した帯体において、経糸１に合成繊維のモノフィラメントから形成した透過性を有する糸、緯糸２に合成繊維のマルチフィラメントから形成した着色糸を用い、糸の交差部分において着色糸の色彩が現出可能に形成し、経糸１を緯糸２よりも細い糸を用い、数本の経糸１を接近して配した多数の経糸群を横方向に互いに離間して配し、その間に透かし部４を形成したことを特徴とする帯体。
【請求項２】
経糸１と緯糸２とは、それぞれ異なる色彩の着色糸を用いて織成してなる請求項１記載の帯体。
【請求項３】
緯糸２に異形断面糸を用いて織成してなる請求項１記載の帯体。
【発明の詳細な説明】
【０００１】
【発明の属する技術分野】
この発明の帯体は、スライドファスナー用のテープ、またはスライドファスナー用スライダーの引手、携帯電話用ストラップ、カメラ用ストラップ、手提げ紐、ショルダーベルト、緊締用ベルトなど各種の用途に用いられる帯体に関するものである。
【０００２】
【従来の技術】
近年、衣服などのファッション化が進むにつれて、これらに用いられる帯体についても、顧客は多種多様の色彩の帯体を希望するようになった。そのため多種少量の帯体を用意しなければならないが、従来は一度に大量の帯体を単一色に染色するものであるから、多種少量の染色には不向きな面があり、多量の在庫が発生する問題がある。
【０００３】
さらに従来は多種少量の色彩を着色した帯体を得るため、あらかじめ所定の色彩に着色した経糸と緯糸を織機へ供給して帯体を織成することが行われた。帯体の色変えを行う時は織機の運転を停止して糸の交換を行った後に運転を再開して織成を行う。しかるにこの方法によれば、帯体の色変えを行う時に、織機に供給されていた全ての糸を取り外して他の色彩の糸を装着する必要があり、取り替え作業に手間がかかり長い時間を要したため、生産効率が低下するなど問題がある。
【０００４】
【発明が解決しようとする課題】
この発明は、上述の問題点を考慮して発明されたものであり、発明のポイントは、経糸に透過性のある糸たとえば透明または半透明の糸を用い、緯糸にあらかじめ着色した糸を用いて帯体を織成し、織機に供給される糸の全てを取り替えることなく着色した糸のみを取り替えて帯体の色彩を変更することができ、糸の取り替え作業の手間を軽減することである。
【０００５】
そこで、この発明のうち請求項１記載の発明は、織物地から形成する帯体に用いる糸の形態を特定することによって、たとえば透過性のある糸と着色した糸とを対向させ、また着色透過性の糸と着色糸とを対向させることにより、交差部分における色彩が美しい色調を現出させ、さらに緯糸に合成繊維のモノフィラメント経糸に合成繊維のマルチフィラメントを用いることにより、帯体に柔軟性を具有させ、さらにまた経糸と緯糸の太さ、および経糸の配列を特定することによって、色彩鮮やかな縦縞模様の美しい色調の備えた帯体を提供することが主たる目的である。
【０００６】
請求項２記載の発明は、請求項１記載の発明の目的に加え、帯体の経糸と緯糸との色彩を特定することによって、たとえば双方の糸の色彩を異ならせることにより、簡単な構成で美しい色調を備えた帯体を提供することが目的である。
【０００７】
請求項３記載の発明は、請求項１記載の発明の目的に加え、帯体に用いる緯糸の形態を特定することによって、たとえば緯糸に各種の断面形状を有する異形断面糸を用いることによって、各種の感触を備えた美しい光沢のある帯体を提供することが目的である。
【０００８】
【課題を解決するための手段】
前記の目的を達成するため、この発明のうち請求項１記載の発明は、経糸１と緯糸２とから織成した織物地３から形成した帯体において、経糸１に合成繊維のモノフィラメントから形成した透過性のある糸を用い、緯糸２に合成繊維のマルチフィラメントから形成した着色した糸を用い、経糸１と緯糸２が交差する部分において着色した糸の色彩が現出できるように形成し、経糸１を緯糸２よりも細い糸を用いて数本の経糸１を接近させて配し、多数の経糸群を横方向に互いに離間して配し、その間に透かした透かし部４を形成した帯体を主な構成とするものである。
【０００９】
請求項２記載の発明は、請求項１記載の発明の構成に加え、帯体における織物地３の経糸１と緯糸２とは、それぞれ異なる色彩の着色糸を用いて織成して形成した帯体である。
【００１０】
請求項３記載の発明は、請求項１記載の発明の構成に加え、帯体における織物地３の緯糸２に異形断面糸を用いて織成して形成した光沢性のある帯体である。
【００１１】
【発明の実施の形態】
以下、この発明の帯体の実施の形態について、図面を参照しながら具体的に説明する。
【００１２】
この発明の帯体は、図３に示すようにスライドファスナー用テープ、また図４に示すようなスライドファスナー用スライダーの引手、さらには図５に示すような携帯電話用またはカメラ用のストラップ、その他手提げ紐、ショルダーベルト、緊締用ベルトなどに使用することができる帯体であり、帯体は図１に示すように整経された経糸１にダブルピックの緯糸２をニードルによって緯入れして織成した帯体である。以下帯体に関する実施例を数例説明する。
【００１３】
第１実施例
図１に示す織物地の帯体の第１実施例について説明すると、帯体の経糸１に合成繊維のモノフィラメントから形成したナイロン糸を用い、ナイロン糸は無色透明または半透明の透過性の糸を用いるか、または任意の色彩に先染め、または後染めして着色した透明または半透明の透過性の糸を用いる。緯糸２は合成繊維のマルチフィラメントから形成したポリエステル糸を用い、ポリエステル糸は任意の色彩に先染め、または後染めして着色し、平織組織で帯体を織成する。
【００１４】
織成された帯体は、着色されたマルチフィラメントから形成したポリエステル糸と、モノフィラメントから形成し無色透明または半透明の透過性のあるナイロン糸との交差部分において、ポリエステル糸の色彩がナイロン糸によって透過でき美しい交差部分が実現でき、また着色透明または半透明の透過性のあるナイロン糸を用いた場合は、交差部分におけるポリエステル糸とナイロン糸との色彩が交じり合って独特の色彩を醸し出し、美しい色調の帯体に仕上げることができる。
【００１５】
第２実施例
図１に示す織物地の帯体の第２実施例について説明すると、帯体の経糸１に合成繊維のマルチフィラメントから形成したポリエステル糸を用い、ポリエステル糸は任意の色彩に先染め、または後染めして着色し、緯糸２は合成繊維のモノフィラメントから形成したナイロン糸を用い、ナイロン糸は透過性のある糸で無色透明または半透明、あるいは着色しても透過性があれば、前記実施例と同様、織物地３の経糸１と緯糸２の交差部分において独特の色彩を醸し出し、美しい色調の帯体が得られる。
【００１６】
なお、経糸１が合成繊維のモノフィラメント、緯糸２が合成繊維のマルチフィラメントであってもよく、また経糸１と緯糸２が同一合成繊維糸であってもよい。
【００１７】
第３実施例
図１に示す織物地の帯体の第３実施例について説明すると、帯体の経糸１は合成繊維のモノフィラメントから形成したポリエステル糸を用い、ポリエステル糸は無色透明または半透明の透過性のある糸を用いるか、または任意の色彩に先染め、または後染めして着色した透明または半透明の透過性の糸を用いる。緯糸２は再生繊維のマルチフィラメントから形成したレーヨン糸を用い、レーヨン糸は任意の色彩に先染め、または後染めして着色する。したがって織成された帯体は、マルチフィラメントから形成し着色されたレーヨン糸とモノフィラメントから形成し無色透明または半透明なポリエステル糸との交差部分においてレーヨン糸の色彩がポリエステル糸によって透過でき、美しい交差部分が実現でき、また着色透明または半透明の透過性のあるポリエステル糸を用いた場合は、交差部分においてレーヨン糸の色彩がポリエステル糸によって透過でき、レーヨン糸の色彩とポリエステル糸の色彩が交じり合って独特の色彩を醸し出し美しい色調の帯体に仕上げることができる。
【００１８】
第４実施例
図１に示す織物地の帯体の第４実施例について説明すると、帯体の経糸１は合成繊維のモノフィラメントから形成したナイロン糸を用い、ナイロン糸は任意の色彩に先染め、または後染めして着色し、かつ透過性のあるすなわち着色透明なナイロン糸から形成する。緯糸２は合成繊維のポリエステル糸を用い、このポリエステル糸は異形断面に成形された異形断面糸であり、しかもこのポリエステル糸は先染め、または後染めして着色する。またポリエステル糸は無色であってもよい。この実施例においては帯体に異形断面糸を織り込むことにより、織物地３に美麗な光沢を具有させることができ、特有の色調を備えた帯体に仕上げることができる。
【００１９】
第５実施例
図１に示す織物地の帯体の第５実施例について説明すると、帯体に用いる経糸１と緯糸２の糸の太さについて特定したものであり、経糸１は合成繊維のモノフィラメントを用い、モノフィラメントの太さは９７デシテックス、緯糸２は合成繊維のマルチフィラメントで１３３または２００のデシテックスの太さの糸を用いることにより、帯体は緯糸２が経糸１よりも太いため、緯糸２が真直ぐに延び、その上を経糸１が巡回するため経糸１の起伏ラインが美しく現出され、そのうえ帯体は柔軟性が加味されて使い易い帯体が得られる。なお、経糸１の太さは５０〜５００デシテックスの範囲で用途に合わせて選定することができる。
【００２０】
第６実施例
図２に示す織物地の帯体の第６実施例について説明すると、帯体の経糸１は合成繊維のモノフィラメントを用い、また緯糸２には合成繊維のマルチフィラメントを用い、マルチフィラメントはダブルピックで緯入れされ、この帯体の経糸１は８本の経糸１を一単位として接近させた状態の多数の経糸群を横方向に互いに離間して配列し、それぞれの単位の経糸群間に透かした部分を形成して透かし部４を設けて模紗織り織物地に形成した帯体である。
【００２１】
この帯体は８本の経糸１を接近させて密な織目を形成し、この経糸群間に存在する透かし部４によって緯糸２が鮮明に現出され、したがって経糸１のモノフィラメントを着色し、かつ透明な素材を用い、緯糸２に無色の異形断面糸を用いると、交差部分では経糸１の色彩が強調され、透かし部４においては光沢ある緯糸２が強調されて帯体全体に美しい縦縞模様が現出した帯体が得られる。
【００２２】
この発明における帯体に使用する糸、たとえば経糸１と緯糸２とが異なる色彩に着色した場合は、交差部分において全く異なる色調の帯体が得られ、また使用する経糸１と緯糸２とが同一色彩に着色した場合は、交差部分とそれ以外の部分との色調に濃淡が現出する。さらに帯体に使用する糸の材質や糸の太さによっても色調に差異が生ずる。
【００２３】
次に帯体の使用製品について簡単に説明すると、図３はスライドファスナー１０を示すものであり、帯体はファスナーテープ１１に用いられている。このテープ１１の縁部にファスナーエレメント１２を取り付けスライダー１３によって開閉する。また図４に示すようにスライダー１３の引手１４として帯体を用いる。帯体は連結具１５に二つ折りにして取り付けて引手１４を形成する。帯体をファスナーテープ１１および引手１４に用いると、ファスナーテープ１１の色彩とスライダー１３の引手１４の色彩とが相俟って美しい色調のスライドファスナーに仕上げることができる。さらに図５に示す使用製品は、携帯電話用のストラップ１６、またはカメラ用のストラップ１６に帯体が利用されたケースである。
【００２４】
【発明の効果】
この発明の帯体は、以上説明したとおりの構成であり、この構成によって下記の効果を奏する。
【００２５】
この発明のうち請求項１記載の発明は、経糸と緯糸とから織成した織物地から形成した帯体において、経糸に合成繊維のモノフィラメントから形成した透過性を有する糸、緯糸２に合成繊維のマルチフィラメントから形成した着色糸を用い、糸の交差部分において着色糸の色彩が現出可能に形成し、経糸を緯糸よりも細い糸を用い、数本の経糸を接近して配した多数の経糸群を横方向に互いに離間して配し、その間に透かし部を形成したことによって、次の効果を奏する。
【００２６】
美しい色調を備えた帯体の作製を透過性を有する糸と着色糸との組合せにより、簡単に実現させ、そのうえ多種少量の色彩を具有する帯体の生産において、帯体の色変え操作を緯糸の取り替え作業のみで処理できるので、在庫管理が容易であり、かつ生産性の向上が図れる。また柔軟性があり感触のよい美しい縦縞模様の色調を備えた帯体を簡単に作製することができる効果がある。
【００２７】
請求項２記載の発明は、請求項１記載の発明の効果に加え、経糸と緯糸とは、それぞれ異なる色彩の着色糸を用いて織成したことによって、経糸と緯糸とが異なった色調を具有する帯体を簡単に作製することができる効果がある。
【００２８】
請求項３記載の発明は、請求項１記載の発明の効果に加え、緯糸に異形断面糸を用いて織成したことによって、美しい色調を備え、かつ光沢のある帯体を簡単に作製することができる効果があるなど、この発明が奏する効果はきわめて顕著である。
【図面の簡単な説明】
【図１】  織成による帯体の部分拡大正面図である。
【図２】  模紗織りの帯体の部分拡大正面図である。
【図３】  帯体を用いたスライドファスナーの正面図である。
【図４】  帯体を用いたスライドファスナー用スライダーの引手の斜視図である。
【図５】  帯体を用いた携帯電話用ストラップの斜視図である。
【符号の説明】
１            経糸
２            緯糸
３            織物地
４            透かし部
【図１】
0003857541.tif 000002
【図２】
0003857541.tif 000003
【図３】
0003857541.tif 000004
【図４】
0003857541.tif 000005
【図５】
0003857541.tif 000006